(57)【要約】【課題】チャイルドプルーフに対応した容易に開封できない構造を有する容器を提供する。【解決手段】本発明の容器の一つの態様は、底壁部と底壁部から上側に立ち上がる側壁部とを有し、上端に側壁部で囲まれた開口部が設けられた容器本体と、側壁部の上端部に開口部に沿って結合された枠部と、枠部にヒンジ部を介して連結され、ヒンジ部を支点として回動し開口部を開閉可能な蓋部と、を備え、枠部と蓋部とのうちの少なくとも一方は、前記蓋部が閉じられた状態において、枠部と蓋部とのうちの他方と係合する係合部を有し、係合部は、第１係合部と、第２係合部と、を含み、第１係合部は、第１方向に押されることで係合状態が解除され、第２係合部は、第１方向と交差する第２方向に押されることで係合状態が解除されることを特徴とする。【選択図】図５
2017190179.tif 000002
【特許請求の範囲】
【請求項１】
底壁部と前記底壁部から上側に立ち上がる側壁部とを有し、上端に前記側壁部で囲まれた開口部が設けられた容器本体と、
前記側壁部の上端部に前記開口部に沿って結合された枠部と、
前記枠部にヒンジ部を介して連結され、前記ヒンジ部を支点として回動し前記開口部を開閉可能な蓋部と、
を備え、
前記枠部と前記蓋部とのうちの少なくとも一方は、前記蓋部が閉じられた状態において、前記枠部と前記蓋部とのうちの他方と係合する係合部を有し、
前記係合部は、第１係合部と、第２係合部と、を含み、
前記第１係合部は、第１方向に押されることで係合状態が解除され、
前記第２係合部は、前記第１方向と交差する第２方向に押されることで係合状態が解除されることを特徴とする容器。
【請求項２】
前記第１係合部は、前記第１方向に沿って一対設けられ、
一対の前記第１係合部は、それぞれ前記第１方向における他方の前記第１係合部が位置する側に押されることで係合状態が解除される、請求項１に記載の容器。
【請求項３】
前記蓋部は、前記第１方向に延びた摘み部を有し、
一対の前記第１係合部は、前記摘み部の前記第１方向の両端に設けられている、請求項２に記載の容器。
【請求項４】
前記第１係合部は、前記枠部と前記蓋部とのうちの一方に設けられ、
前記第２係合部は、前記枠部と前記蓋部とのうちの他方に設けられている、請求項１から３のいずれか一項に記載の容器。
【請求項５】
前記第１係合部と前記第２係合部とは、前記蓋部に設けられている、請求項１から３のいずれか一項に記載の容器。
【請求項６】
前記第１方向と前記第２方向とは、互いに直交する、請求項１から５のいずれか一項に記載の容器。
【請求項７】
前記第１係合部および前記第２係合部は、前記ヒンジ部を支点とする回動先端側の位置に設けられている、請求項１から６のいずれか一項に記載の容器。
【請求項８】
前記第１係合部と前記第２係合部とのうちの少なくとも一部の上側を覆う上壁部をさらに備える、請求項１から７のいずれか一項に記載の容器。
【発明の詳細な説明】
【技術分野】
【０００１】
本発明は、容器に関する。
【背景技術】
【０００２】
所定量の洗剤組成物が小分けされた洗浄剤が知られている（例えば、特許文献１参照）。このような小分けされた洗浄剤は、所定の容器に所定数ずつ包装されて販売されている。小分けされた洗浄剤においては、洗剤組成物が、例えば、ＰＶＡ（ＰｏｌｙＶｉｎｙｌ  Ａｌｃｏｈｏｌ）フィルム等で被覆され、消費者は洗剤組成物に手指を触れることなく、所定の容器から洗浄剤を取り出すことができる。
【０００３】
上記のような小分けされた洗浄剤を包装する容器としては、例えば、特許文献２に記載されているように、容器ベースと、容器ベースにヒンジ接合された容器蓋とを備え、容器ベースと容器蓋とがヒンジ接合部を支点とした回動先端部で開閉可能に係合する容器を用いることが考えられる。
【先行技術文献】
【特許文献】
【０００４】
【特許文献１】特表２００４−５２５０３８号公報
【特許文献２】特表２００３−５１４７３０号公報
【発明の概要】
【発明が解決しようとする課題】
【０００５】
しかしながら、上記のような容器では、蓋部を操作して開封することが容易であるため、子供が容器を容易に開封でき、洗浄剤の誤食および誤飲が生じる場合がある。したがって、上記のような小分けされた洗浄剤を包装する容器には、チャイルドプルーフ対応の観点から子供が容器を容易に開封できない構造が求められていた。
【０００６】
本発明の一つの態様は、上記問題点に鑑みて成されたものであって、チャイルドプルーフに対応した容易に開封できない構造を有する容器を提供することを目的の一つとする。
【課題を解決するための手段】
【０００７】
本発明の容器の一つの態様は、底壁部と前記底壁部から上側に立ち上がる側壁部とを有し、上端に前記側壁部で囲まれた開口部が設けられた容器本体と、前記側壁部の上端部に前記開口部に沿って結合された枠部と、前記枠部にヒンジ部を介して連結され、前記ヒンジ部を支点として回動し前記開口部を開閉可能な蓋部と、を備え、前記枠部と前記蓋部とのうちの少なくとも一方は、前記蓋部が閉じられた状態において、前記枠部と前記蓋部とのうちの他方と係合する係合部を有し、前記係合部は、第１係合部と、第２係合部と、を含み、前記第１係合部は、第１方向に押されることで係合状態が解除され、前記第２係合部は、前記第１方向と交差する第２方向に押されることで係合状態が解除されることを特徴とする。
【０００８】
前記第１係合部は、前記第１方向に沿って一対設けられ、一対の前記第１係合部は、それぞれ前記第１方向における他方の前記第１係合部が位置する側に押されることで係合状態が解除される構成としてもよい。
【０００９】
前記蓋部は、前記第１方向に延びた摘み部を有し、一対の前記第１係合部は、前記摘み部の前記第１方向の両端に設けられている構成としてもよい。
【００１０】
前記第１係合部は、前記枠部と前記蓋部とのうちの一方に設けられ、前記第２係合部は、前記枠部と前記蓋部とのうちの他方に設けられている構成としてもよい。
【００１１】
前記第１係合部と前記第２係合部とは、前記蓋部に設けられている構成としてもよい。
【００１２】
前記第１方向と前記第２方向とは、互いに直交する構成としてもよい。
【００１３】
前記第１係合部および前記第２係合部は、前記ヒンジ部を支点とする回動先端側の位置に設けられている構成としてもよい。
【００１４】
前記第１係合部と前記第２係合部とのうちの少なくとも一部の上側を覆う上壁部をさらに備える構成としてもよい。
【発明の効果】
【００１５】
本発明の一つの態様によれば、チャイルドプルーフに対応した容易に開封できない構造を有する容器が提供される。
【図面の簡単な説明】
【００１６】
【図１】第１実施形態の容器を示す斜視図である。
【図２】第１実施形態の容器を示す分解斜視図である。
【図３】第１実施形態の容器の部分を示す図であって、図１におけるIII−III断面図である。
【図４】第１実施形態の容器の部分を示す図であって、図３におけるIV−IV断面図である。
【図５】第１実施形態の容器の開封方法を説明するための斜視図である。
【図６】第１実施形態の容器の開封方法を説明するための断面図である。
【図７】第１実施形態の容器の開封方法を説明するための断面図である。
【図８】第１実施形態の容器の開封方法を説明するための斜視図である。
【図９】第１実施形態の他の一例である容器の部分を示す断面図である。
【図１０】第２実施形態の容器の部分を示す断面図である。
【図１１】第２実施形態の容器の部分を示す断面図である。
【発明を実施するための形態】
【００１７】
以下、図面を参照しながら、本発明の実施形態に係る容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１８】
また、図面においては、適宜３次元直交座標系としてＸＹＺ座標系を示す。ＸＹＺ座標系において、Ｚ軸方向は、上下方向とする。Ｙ軸方向は、Ｚ軸方向と直交し、図１に示す容器１０の長手方向と平行な方向とする。Ｘ軸方向は、Ｚ軸方向とＹ軸方向との両方と直交し、図１に示す容器１０の短手方向と平行な方向とする。
【００１９】
なお、以下の説明においては、Ｘ軸方向を前後方向（第２方向）と呼ぶ場合があり、Ｙ軸方向を左右方向（第１方向）と呼ぶ場合がある。また、上下方向においては、正の側（＋Ｚ側）を上側と呼ぶ場合があり、負の側（−Ｚ側）を下側と呼ぶ場合がある。また、前後方向においては、正の側（＋Ｘ側）を前側と呼ぶ場合があり、負の側（−Ｘ側）を後側と呼ぶ場合がある。また、左右方向においては、正の側（＋Ｙ側）を右側と呼ぶ場合があり、負の側（−Ｙ側）を左側と呼ぶ場合がある。なお、上下方向、前後方向、左右方向、上側、下側、前側、後側、右側および左側とは、単に各部位の相対位置関係の説明のために用いられる名称であって、実際の各部位の相対位置関係および使用形態等を限定しない。
【００２０】
＜第１実施形態＞
図１は、本実施形態の容器１０を示す斜視図である。図２は、本実施形態の容器１０を示す分解斜視図である。図３は、本実施形態の容器１０の部分を示す図であって、図１におけるIII−III断面図である。図４は、本実施形態の容器１０の部分を示す図であって、図３におけるIV−IV断面図である。図１、図３および図４は、蓋部５０が閉じられた状態を示している。図２は、蓋部５０が開かれた状態を示している。
【００２１】
なお、以下に説明する各部の相対位置関係は、特に断りのない限り、蓋部５０が閉じられた状態における各部の相対位置関係であるものとする。
【００２２】
図１に示す容器１０は、例えば、内部に小分けされた洗浄剤を複数収容し、包装するための容器である。小分けされた洗浄剤としては、例えば、固形タイプの洗浄剤（粉体を錠剤化し、表面をＰＶＡ等で被覆）、シートタイプの洗浄剤（ペースト化した洗剤をＰＶＡ等で挟む）、および濃縮洗剤をＰＶＡフィルム等で被覆した液状タイプの洗浄剤等が挙げられる。容器１０は、全体として略直方体状である。
【００２３】
容器１０は、容器本体２０と、蓋体３０と、を備えている。容器本体２０は、例えば、ポリスチレン等の合成樹脂材で形成されている。容器本体２０は、内容物が視認可能な透明または半透明であってもよいし、不透明であってもよい。容器本体２０は、収容物の種類によっては紫外線吸収剤を含んでいてもよい。容器本体２０は、例えば、ブロー成形、またはインジェクション成形等によって成形されている。
【００２４】
容器本体２０は、図２に示すように、底壁部２１と、側壁部２２と、を有している。底壁部２１は、上下方向と直交する平面（ＸＹ平面）に沿って拡がっている。底壁部２１の上側から下側に視た（以下、平面視）形状は、例えば、左右方向（Ｙ軸方向）に長い略矩形状である。側壁部２２は、底壁部２１の外縁から上側に立ち上がっている。側壁部２２は、例えば、上側に開口する角筒状である。すなわち、容器本体２０の上端には、側壁部２２で囲まれた開口部２０ａが設けられている。容器本体２０は、底壁部２１および側壁部２２によって囲まれた収容空間２３を有している。収容空間２３には、例えば、小分けされた洗浄剤が複数収容される。
【００２５】
蓋体３０は、例えば、ポリプロピレン等の合成樹脂材で形成されている。本実施形態において蓋体３０は、例えば、インジェクション成形によって一体的に成形されている。蓋体３０は、枠部４０と、ヒンジ部６０と、蓋部５０と、を有している。
【００２６】
枠部４０は、図１および図２に示すように、側壁部２２の上端部に開口部２０ａに沿って全周に亘って結合されている。本実施形態において枠部４０は、容器本体２０に対して着脱可能に取り付けられている。枠部４０は、平面視略矩形の枠状である。枠部４０は、図２に示すように、枠部本体４１と、外側壁部４２と、枠部側係合部（第２係合部）４３と、突出部４４，４５と、２つのガイド部４６と、を有している。
【００２７】
枠部本体４１は、長辺部４１ａ，４１ｂと短辺部４１ｃ，４１ｄとを有する平面視略矩形の枠状である。長辺部４１ａと長辺部４１ｂとは、左右方向（Ｙ軸方向）に延び、互いに前後方向（Ｘ軸方向）に間隔を空けて対向している。長辺部４１ａは、長辺部４１ｂよりも前側（＋Ｘ側）に位置している。短辺部４１ｃと短辺部４１ｄとは、前後方向に延び、互いに左右方向に間隔を空けて対向している。隣り合う長辺部４１ａ，４１ｂと短辺部４１ｃ，４１ｄとは、円弧状に湾曲する湾曲部を介して接続されている。後側（−Ｘ側）の長辺部４１ｂには、ヒンジ部６０が接続されている。
【００２８】
外側壁部４２は、枠部本体４１の外縁から上側に立ち上がっている。より詳細には、外側壁部４２は、枠部本体４１における、ヒンジ部６０が接続された長辺部４１ｂ以外の部分の外縁から上側に立ち上がっている。
【００２９】
枠部側係合部４３は、前側（＋Ｘ側）の長辺部４１ａの上面から上側に突出している。すなわち、枠部側係合部４３は、ヒンジ部６０を支点とする回動先端側（＋Ｘ側）の位置に設けられている。枠部側係合部４３は、長辺部４１ａの内縁部における左右方向（Ｙ軸方向）の中央に位置している。図３および図４に示すように、枠部側係合部４３は、本体部４３ａと、係合突起４３ｂと、を有している。
【００３０】
本体部４３ａは、上下方向に延びる板状である。本体部４３ａの主面は、例えば、前後方向（Ｘ軸方向）と直交している。本体部４３ａの前側（＋Ｘ側）から後側（−Ｘ側）に視た（以下、正面視）形状は、上下方向に長い略矩形状である。図４に示すように、蓋部５０が閉じられた状態において、本体部４３ａの上部は、後述する蓋部側係合孔部５３ｆに挿入されている。本体部４３ａは、蓋部側係合孔部５３ｆを介して上側から視認可能である。
【００３１】
係合突起４３ｂは、本体部４３ａの後側（−Ｘ側）の面から後側に突出している。図３に示すように、本実施形態において係合突起４３ｂは、例えば、左右方向（Ｙ軸方向）に延びている。係合突起４３ｂは、本体部４３ａの左右方向の一端から他端まで延びている。図４に示すように、係合突起４３ｂは、蓋部５０が閉じられた状態において、後述する蓋部本体５１の上面の上側に位置している。これにより、枠部側係合部４３は、蓋部５０が閉じられた状態において、蓋部５０に係合し、係合突起４３ｂによって蓋部５０が上側に移動することを規制している。その結果、蓋部５０がヒンジ部６０を支点として回動することが規制され、蓋部５０が開かれることが規制される。係合突起４３ｂは、蓋部５０が閉じられた状態において、蓋部本体５１の上面に上側から接触する、または蓋部本体５１の上面と上下方向に隙間を介して対向する。
【００３２】
突出部４４，４５は、図２に示すように、前側（＋Ｘ側）の長辺部４１ａの上面から上側に突出している。突出部４４と突出部４５とは、左右方向（Ｙ軸方向）に間隔を空けて配置されている。突出部４４は、枠部側係合部４３よりも左側（−Ｙ側）に位置している。突出部４５は、枠部側係合部４３よりも右側（＋Ｙ側）に位置している。図３に示すように、突出部４４，４５は、中空である。
【００３３】
突出部４４には、枠部側係合孔部４４ａが形成されている。枠部側係合孔部４４ａは、突出部４４における右側（＋Ｙ側）の壁部、すなわち左右方向（Ｙ軸方向）の突出部４５側の壁部を左右方向に貫通している。枠部側係合孔部４４ａは、長辺部４１ａに亘って形成され、長辺部４１ａを上下方向に貫通している。突出部４５には、枠部側係合孔部４５ａが形成されている。枠部側係合孔部４５ａは、突出部４５における左側（−Ｙ側）の壁部、すなわち左右方向の突出部４４側の壁部を左右方向に貫通している。枠部側係合孔部４５ａは、長辺部４１ａに亘って形成され、長辺部４１ａを上下方向に貫通している。
【００３４】
２つのガイド部４６は、図２に示すように、長辺部４１ａの上面から上側に突出している。２つのガイド部４６は、例えば、左右方向（Ｙ軸方向）と直交する面（ＺＸ平面）に沿って拡がる板状である。２つのガイド部４６は、突出部４４と突出部４５との左右方向の間に位置し、左右方向に間隔を空けて配置されている。ガイド部４６の一方は、枠部側係合部４３よりも左側（−Ｙ側）に位置し、ガイド部４６の他方は、枠部側係合部４３よりも右側（＋Ｙ側）に位置している。
【００３５】
ヒンジ部６０は、左右方向（Ｙ軸方向）に延びており、枠部４０と蓋部５０とを接続している。ヒンジ部６０は、後側（−Ｘ側）の長辺部４１ｂの外縁に接続されている。ヒンジ部６０は、枠部４０と蓋部５０とを、ヒンジ部６０を支点として、左右方向に平行な軸周りに回動可能に連結している。ヒンジ部６０は、左右方向に間隔を空けて複数（図２では、例えば３つ）設けられている。
【００３６】
蓋部５０は、枠部４０にヒンジ部６０を介して連結されている。蓋部５０は、ヒンジ部６０を支点として、枠部４０に対して左右方向（Ｙ軸方向）に平行な軸周りに回動する。これにより、蓋部５０は、容器本体２０の開口部２０ａを開閉可能である。蓋部５０は、蓋部本体５１と、縁部５２と、摘み部５３と、蓋部側係合部（第１係合部）５４，５５と、を有している。
【００３７】
蓋部本体５１は、平板状であり、図１に示すように、上下方向と直交する平面（ＸＹ平面）に沿って拡がっている。蓋部本体５１は、蓋部５０が閉じられた状態において、容器本体２０の開口部２０ａの上側を覆っている。蓋部本体５１の平面視形状は、例えば、左右方向（Ｙ軸方向）に長い略矩形状である。
【００３８】
縁部５２は、蓋部本体５１の外縁に沿って設けられている。より詳細には、縁部５２は、蓋部本体５１の外縁のうち、後側（−Ｘ側）の長辺部の外縁と、左右方向両側の短辺部の外縁と、に沿って設けられている。縁部５２は、蓋部本体５１よりも上側に突出している。図２に示すように、縁部５２は、中空であり、縁部５２の内部は枠部４０側（蓋部５０が閉じられた状態において下側）に開口している。縁部５２の下端は、蓋部５０が閉じられた状態において、枠部本体４１の長辺部４１ｂおよび短辺部４１ｃ，４１ｄの上面と、例えば、接触する。図１に示すように、縁部５２は、蓋部５０が閉じられた状態において、外側壁部４２の内側に位置する。
【００３９】
摘み部５３は、蓋部本体５１における前側（＋Ｘ側）の長辺部の外縁に接続されている。摘み部５３は、蓋部本体５１の左右方向（Ｙ軸方向）の中央に位置している。摘み部５３は、左右方向に延びている。図１から図４に示すように、摘み部５３は、例えば、中空の直方体箱状である。摘み部５３の内部は、下側に開口している。摘み部５３は、上壁部５３ａと、左壁部５３ｂと、右壁部５３ｃと、後壁部５３ｄと、前壁部５３ｅと、を有している。
【００４０】
上壁部５３ａは、図１に示すように、摘み部５３における上側の壁部である。上壁部５３ａは、左右方向（Ｙ軸方向）に延びている。上壁部５３ａは、上下方向において、縁部５２の上端とほぼ同じ位置にある。上壁部５３ａの後側（−Ｘ側）の端部には、下側に窪む段差が設けられている。
【００４１】
左壁部５３ｂは、図３に示すように、摘み部５３における左側（−Ｙ側）の壁部であり、上壁部５３ａの左側の端部から、わずかに左側に傾斜しつつ下側に延びている。右壁部５３ｃは、摘み部５３における右側（＋Ｙ側）の壁部であり、上壁部５３ａの右側の端部から、わずかに右側に傾斜しつつ下側に延びている。後壁部５３ｄは、図４に示すように、摘み部５３における後側（−Ｘ側）の壁部であり、上壁部５３ａの後側の端部から、わずかに後側に傾斜しつつ下側に延びている。前壁部５３ｅは、摘み部５３における前側（＋Ｘ側）の壁部であり、上壁部５３ａの前側の端部から、わずかに前側に傾斜しつつ下側に延びている。
【００４２】
摘み部５３には、蓋部側係合孔部５３ｆが形成されている。蓋部側係合孔部５３ｆは、後壁部５３ｄを前後方向（Ｘ軸方向）に貫通している。蓋部側係合孔部５３ｆは、上壁部５３ａの後側（−Ｘ側）の端部（下側に窪む段差部分）を上下方向に貫通している。蓋部側係合孔部５３ｆは、上側に開口している。図３に示すように、蓋部側係合孔部５３ｆは、摘み部５３の左右方向（Ｙ軸方向）中央に位置している。蓋部側係合孔部５３ｆの正面視形状は、例えば、矩形状である。
【００４３】
蓋部５０が閉じられた状態において、摘み部５３の下端部は、突出部４４と突出部４５との左右方向（Ｙ軸方向）の間に位置する。左壁部５３ｂの下端部は、左側（−Ｙ側）のガイド部４６の左側に、ガイド部４６と近接して配置されている。右壁部５３ｃの下端部は、右側（＋Ｙ側）のガイド部４６の右側に、ガイド部４６と近接して配置されている。図４に示すように、前壁部５３ｅの下端部は、外側壁部４２の後側（−Ｘ側）に、外側壁部４２と近接して配置されている。
【００４４】
蓋部側係合部５４と蓋部側係合部５５とは、図３に示すように、左右方向（Ｙ軸方向）に沿って配置されている。すなわち、本実施形態の蓋部側係合部（第１係合部）は、左右方向に沿って一対設けられている。図１および図２に示すように、蓋部側係合部５４，５５は、ヒンジ部６０を支点とする回動先端側（＋Ｘ側）の位置に設けられている。一対の蓋部側係合部５４，５５は、摘み部５３の左右方向の両端に設けられている。
【００４５】
蓋部側係合部５４は、図３に示すように、接続部５４ａと、本体部５４ｂと、係合突起５４ｃと、を有している。接続部５４ａは、摘み部５３と接続される板状の部分である。接続部５４ａは、摘み部５３の左壁部５３ｂの下端から左側（−Ｙ側）に延びている。接続部５４ａは、突出部４４の上端よりも下側に位置している。
【００４６】
本体部５４ｂは、接続部５４ａの左側（−Ｙ側）の端部から上側に延びる板状の部分である。図１に示すように、本体部５４ｂの主面は、例えば、左右方向（Ｙ軸方向）と直交する。本体部５４ｂの左右方向に沿って視た（以下、側面視）形状は、例えば、上下方向に長い略矩形状である。図３に示すように、本体部５４ｂは、突出部４４よりも上側に延びている。本体部５４ｂの上端は、上下方向において、摘み部５３の上端、すなわち上壁部５３ａとほぼ同じ位置にある。本体部５４ｂの左側には、本体部５４ｂと縁部５２とによって左右方向に挟まれた手指挿入空間ＤＰ１が設けられている。
【００４７】
接続部５４ａと本体部５４ｂと摘み部５３の左壁部５３ｂとが接続された部分の正面視形状は、上側に開口する略Ｕ字形状となっている。これにより、蓋部側係合部５４に対して左右方向（Ｙ軸方向）に力が加えられた際に、蓋部側係合部５４を弾性変形させやすい。
【００４８】
係合突起５４ｃは、本体部５４ｂの左側（−Ｙ側）の面から、左側に突出している。係合突起５４ｃは、本体部５４ｂの左側の面における下端部に位置している。図示は省略するが、係合突起５４ｃは、例えば、前後方向（Ｘ軸方向）に延びている。係合突起５４ｃは、例えば、本体部５４ｂの前後方向の一端から他端まで延びている。
【００４９】
係合突起５４ｃは、蓋部５０が閉じられた状態において、突出部４４の枠部側係合孔部４４ａに右側（＋Ｙ側）から挿入されている。係合突起５４ｃは、枠部側係合孔部４４ａの上側の内縁の下側に位置している。これにより、蓋部側係合部５４は、蓋部５０が閉じられた状態において、枠部４０と係合し、係合突起５４ｃによって蓋部５０が上側に移動することを規制している。その結果、蓋部５０がヒンジ部６０を支点として回動することが規制され、蓋部５０が開かれることが規制される。係合突起５４ｃは、蓋部５０が閉じられた状態において、枠部側係合孔部４４ａの上側の内縁に下側から接触する、または枠部側係合孔部４４ａの上側の内縁と上下方向に隙間を介して対向する。
【００５０】
蓋部側係合部５５は、接続部５５ａと、本体部５５ｂと、係合突起５５ｃと、を有している。接続部５５ａは、摘み部５３と接続される板状の部分である。接続部５５ａは、摘み部５３の右壁部５３ｃの下端から右側（＋Ｙ側）に延びている。接続部５５ａは、突出部４５の上端よりも下側に位置している。
【００５１】
本体部５５ｂは、接続部５５ａの右側（＋Ｙ側）の端部から上側に延びる板状の部分である。図１に示すように、本体部５５ｂの主面は、例えば、左右方向（Ｙ軸方向）と直交する。本体部５５ｂの側面視形状は、例えば、上下方向に長い略矩形状である。図３に示すように、本体部５５ｂは、突出部４５よりも上側に延びている。本体部５５ｂの上端は、上下方向において、摘み部５３の上端、すなわち上壁部５３ａとほぼ同じ位置にある。本体部５５ｂの右側には、本体部５５ｂと縁部５２とによって左右方向に挟まれた手指挿入空間ＤＰ２が設けられている。
【００５２】
接続部５５ａと本体部５５ｂと摘み部５３の右壁部５３ｃとが接続された部分の正面視形状は、上側に開口する略Ｕ字形状となっている。これにより、蓋部側係合部５５に対して左右方向（Ｙ軸方向）に力が加えられた際に、蓋部側係合部５５を弾性変形させやすい。
【００５３】
係合突起５５ｃは、本体部５５ｂの右側（＋Ｙ側）の面から、右側に突出している。係合突起５５ｃは、本体部５５ｂの右側の面における下端部に位置している。図示は省略するが、係合突起５５ｃは、例えば、前後方向（Ｘ軸方向）に延びている。係合突起５５ｃは、例えば、本体部５５ｂの前後方向の一端から他端まで延びている。
【００５４】
係合突起５５ｃは、蓋部５０が閉じられた状態において、突出部４５の枠部側係合孔部４５ａに左側（−Ｙ側）から挿入されている。係合突起５５ｃは、枠部側係合孔部４５ａの上側の内縁の下側に位置している。これにより、蓋部側係合部５５は、蓋部５０が閉じられた状態において、枠部４０と係合し、係合突起５５ｃによって蓋部５０が上側に移動することを規制している。その結果、蓋部５０がヒンジ部６０を支点として回動することが規制され、蓋部５０が開かれることが規制される。係合突起５５ｃは、蓋部５０が閉じられた状態において、枠部側係合孔部４５ａの上側の内縁と下側から接触する、または枠部側係合孔部４５ａの上側の内縁と上下方向に隙間を介して対向する。
【００５５】
蓋部側係合部５４と蓋部側係合部５５との左右方向（Ｙ軸方向）の距離Ｌ１は、例えば、９０ｍｍ以上、１５０ｍｍ以下程度が好ましい。距離Ｌ１が９０ｍｍよりも小さいと、手が比較的小さい子供であっても、蓋部側係合部５４，５５の係合状態を解除しやすい場合があり、１５０ｍｍよりも大きいと、手が比較的大きい大人等であっても、蓋部側係合部５４，５５の係合状態を解除しにくい場合があるためである。なお、蓋部側係合部５４と蓋部側係合部５５との左右方向の距離Ｌ１とは、蓋部側係合部５４における本体部５４ｂの左側（−Ｙ側）の面から蓋部側係合部５５における本体部５５ｂの右側（＋Ｙ側）の面までの左右方向の距離である。
【００５６】
本実施形態において蓋部側係合部５４と枠部側係合部４３との左右方向（Ｙ軸方向）の距離Ｌ２と、蓋部側係合部５５と枠部側係合部４３との左右方向（Ｙ軸方向）の距離Ｌ３とは、例えば、互いに同じであり、蓋部側係合部５４と蓋部側係合部５５との左右方向の距離Ｌ１の半分の値である。距離Ｌ２および距離Ｌ３は、例えば、４５ｍｍ以上、７５ｍｍ以下程度である。なお、蓋部側係合部５４と枠部側係合部４３との左右方向の距離Ｌ２とは、蓋部側係合部５４における本体部５４ｂの左側（−Ｙ側）の面から枠部側係合部４３の左右方向の中心までの左右方向の距離である。蓋部側係合部５５と枠部側係合部４３との左右方向の距離Ｌ３とは、蓋部側係合部５５における本体部５５ｂの右側（＋Ｙ側）の面から枠部側係合部４３の左右方向の中心までの左右方向の距離である。
【００５７】
距離Ｌ１，Ｌ２，Ｌ３は、例えば、子供の手の大きさに基づいて設定されることが好ましい。より具体的には、例えば、距離Ｌ１，Ｌ２，Ｌ３は、４歳前後の子供の手長の平均値よりも大きく設定されることが好ましい。このように設定することで、４歳前後の子供によって容器１０が開封されることを好適に抑制することができ、誤食および誤飲が生じることをより抑制できる。
【００５８】
次に、本実施形態の容器１０の開封方法について説明する。上述したように、蓋部５０が閉じられた状態において、枠部側係合部４３は蓋部５０に係合しており、蓋部側係合部５４，５５は枠部４０に係合している。すなわち、３つの係合部によって枠部４０と蓋部５０とが互いに係合されている。これにより、蓋部５０が枠部４０に対して、ヒンジ部６０を支点として回動することが規制されており、蓋部５０が開かれることが規制されている。使用者Ｕは、３つの係合部の係合状態を全て解除した後、蓋部５０を枠部４０に対してヒンジ部６０を支点として回動させることで、蓋部５０を開いて容器１０を開封することができる。以下、詳細に説明する。なお、使用者Ｕとは、容器１０に収容された洗浄剤等を適正に使用する人であり、例えば、大人等である。
【００５９】
図５から図８は、容器１０の開封方法を説明するための説明図である。図５および図８は、容器１０を示す斜視図である。図６および図７は、容器１０の部分を示す断面図である。
【００６０】
まず、使用者Ｕは、図５に示すように、第１手指Ｆ１を手指挿入空間ＤＰ１に挿入し、第３手指Ｆ３を手指挿入空間ＤＰ２に挿入する。そして、第１手指Ｆ１と第３手指Ｆ３とを左右方向（Ｙ軸方向）の互いに近づける向きに移動させて、蓋部側係合部５４，５５を介して、摘み部５３を左右方向に摘む。これにより、一対の蓋部側係合部５４，５５は、それぞれ左右方向における他方の蓋部側係合部が位置する側に押される。
【００６１】
具体的には、図６に示すように、蓋部側係合部５４の本体部５４ｂは、第１手指Ｆ１によって、左右方向における蓋部側係合部５５が位置する側（右側，＋Ｙ側）に押される。これにより、例えば、本体部５４ｂが、下端を中心に、前後方向（Ｘ軸方向）と平行な軸周りにおける正面視で時計回りの向きに弾性変形する。本体部５４ｂは、例えば、左壁部５３ｂと接触した状態となる。
【００６２】
本体部５４ｂの弾性変形に伴って、係合突起５４ｃが、右側に移動して、枠部側係合孔部４４ａの外部に抜け出る。したがって、蓋部側係合部５４の枠部４０との係合状態が解除される。すなわち、蓋部側係合部５４は、左右方向に押されることで係合状態が解除される。
【００６３】
蓋部側係合部５５の本体部５５ｂは、第３手指Ｆ３によって、左右方向における蓋部側係合部５４が位置する側（左側，−Ｙ側）に押される。これにより、例えば、本体部５５ｂが、下端を中心に、前後方向（Ｘ軸方向）と平行な軸周りにおける正面視で反時計回りの向きに弾性変形する。本体部５５ｂは、例えば、右壁部５３ｃと接触した状態となる。
【００６４】
本体部５５ｂの弾性変形に伴って、係合突起５５ｃが、左側に移動して、枠部側係合孔部４５ａの外部に出る。したがって、蓋部側係合部５５の係合状態が解除される。すなわち、蓋部側係合部５５は、左右方向に押されることで係合状態が解除される。
【００６５】
以上のように、本実施形態においては、一対の蓋部側係合部５４，５５は、それぞれ左右方向における他方の蓋部側係合部が位置する側に押されることで、係合状態が解除される。
【００６６】
次に、使用者Ｕは、図５において矢印で示すように、第２手指Ｆ２を後側（−Ｘ側）から枠部側係合部４３に近づけ、枠部側係合部４３を前側（＋Ｘ側）に押す。これにより、例えば、図７に示すように、枠部側係合部４３が、下端を中心に、左右方向（Ｙ軸方向）と平行な軸周りにおける側面視で時計回りの向きに弾性変形する。これにより、係合突起４３ｂが、蓋部本体５１よりも前側（＋Ｘ側）に移動する。したがって、枠部側係合部４３の係合状態が解除される。すなわち、枠部側係合部４３は、左右方向と交差する前後方向（Ｘ軸方向）に押されることで係合状態が解除される。
【００６７】
使用者Ｕは、上述したようにして、一対の蓋部側係合部５４，５５の係合状態および枠部側係合部４３の係合状態を解除した後、蓋部側係合部５４，５５を介して摘み部５３を摘んだまま上側に力を加える。このとき、一対の蓋部側係合部５４，５５の係合状態および枠部側係合部４３の係合状態が共に解除されているため、蓋部５０は、枠部４０に対してヒンジ部６０を支点として回動可能な状態となっている。これにより、図８に示すように、蓋部５０を枠部４０に対して回動させることができ、蓋部５０を開いた状態にできる。以上のようにして、使用者Ｕは、容器１０を開封することができる。
【００６８】
なお、使用者Ｕの第１手指Ｆ１、第２手指Ｆ２および第３手指Ｆ３は、特に限定されない。一例として、第１手指Ｆ１は、親指であり、第２手指Ｆ２は、人差し指であり、第３手指Ｆ３は、中指である。
【００６９】
本実施形態によれば、蓋部５０は、係合部として、枠部４０と係合する蓋部側係合部５４，５５を有し、枠部４０は、係合部として、蓋部５０と係合する枠部側係合部４３を有している。すなわち、係合部は、左右方向に押されることで係合状態が解除される蓋部側係合部５４，５５と、前後方向に押されることで係合状態が解除される枠部側係合部４３と、を含んでいる。そのため、使用者Ｕは、手指によって、蓋部側係合部５４，５５を左右方向に押しつつ、枠部側係合部４３を左右方向と交差する前後方向に押さなければ、全ての係合部の係合状態を解除できない。これにより、全ての係合部の係合状態を容易に解除することができず、蓋部５０が容易に開かれることを抑制できる。したがって、本実施形態によれば、チャイルドプルーフに対応した容易に開封できない構造を有する容器１０が得られる。これにより、子供が容器１０を開封することを抑制でき、容器１０の内容物の誤食および誤飲が生じることを抑制できる。
【００７０】
また、互いに交差する方向に押されることで係合状態が解除される２つ以上の係合部を、例えば、片手で解除する場合、同じ方向に押されることで係合状態が解除される２つ以上の係合部を解除する場合に比べて、解除を行う手の手長が大きい必要がある。そのため、比較的手が小さい子供にとっては、各係合部をより解除しにくく、容器１０が容易に開封されることをより抑制できる。
【００７１】
また、本実施形態によれば、一対の蓋部側係合部５４，５５が左右方向に沿って設けられ、各蓋部側係合部は、それぞれ左右方向における他方の蓋部側係合部が位置する側に押されることで、係合状態が解除される。そのため、使用者Ｕ（大人等）は、例えば、２本の手指で一対の蓋部側係合部５４，５５を挟み込むことで、２つの蓋部側係合部５４，５５を同時に解除することができる。これにより、使用者Ｕは、比較的容易に、一対の蓋部側係合部５４，５５の係合状態を同時に解除することができる。
【００７２】
一方、例えば、一対の蓋部側係合部５４，５５同士の間の左右方向の距離Ｌ１を比較的大きくすると、小さい子供の手では、片手の手指で蓋部側係合部５４，５５を挟み込むことができない。そのため、蓋部側係合部５４，５５の係合状態を同時に解除しにくい。
【００７３】
これに対して、例えば、蓋部側係合部５４と蓋部側係合部５５とを別々の手の手指で押す場合には、手が小さい子供であっても、蓋部側係合部５４の係合状態と蓋部側係合部５５の係合状態とを同時に解除することが可能である。しかし、本実施形態では、一対の蓋部側係合部５４，５５に加えて枠部側係合部４３が設けられているため、一対の蓋部側係合部５４，５５の係合状態の解除に両手を使用すると、枠部側係合部４３の係合状態を解除することができない。これにより、一対の蓋部側係合部５４，５５の係合状態を解除できた場合であっても、子供によって容器１０が開封されることが抑制される。
【００７４】
以上のように、本実施形態によれば、比較的大きい手を有する使用者Ｕ（大人等）は、比較的容易に一対の蓋部側係合部５４，５５の係合状態を同時に解除できることで、容器１０を比較的容易に開封することができ、比較的小さい手を有する子供は、容器１０を開封することが困難である。そのため、使用者Ｕの利便性を向上させつつ、チャイルドプルーフに優れた容器１０が得られる。
【００７５】
このように、本実施形態の容器１０は、チャイルドプルーフに対応して子供が容易に開封できない構造でありつつ、適正な使用者Ｕ（大人等）にとっては、チャイルドプルーフに対応可能な範囲内で開封しやすい構造であることが好ましい。
【００７６】
また、本実施形態によれば、摘み部５３が設けられ、一対の蓋部側係合部５４，５５は、摘み部５３の左右方向の両端に設けられている。そのため、蓋部側係合部５４，５５を２本の手指で挟み込んで、蓋部側係合部５４，５５の係合状態を解除した状態のまま、摘み部５３を挟んで把持することができる。これにより、使用者Ｕは、蓋部側係合部５４，５５の係合状態を解除しつつ、安定して蓋部５０を掴むことができ、蓋部５０を回動させやすい。
【００７７】
例えば、蓋部５０と枠部４０とのうちのいずれか一方に、互いに交差する方向に押されることで解除される係合部が２つ以上設けられる場合、係合部が設けられる蓋部５０あるいは枠部４０の構造が複雑化する場合がある。これに対して、本実施形態によれば、蓋部側係合部５４，５５は、蓋部５０に設けられ、枠部側係合部４３は、枠部４０に設けられている。すなわち、蓋部５０には、左右方向に押されることで解除される係合部が設けられ、枠部４０には、前後方向に押されることで解除される係合部が設けられている。このように、互いに交差する方向に押されることで解除される係合部が、それぞれ蓋部５０と枠部４０とに別々に設けられることで、蓋部５０の構造および枠部４０の構造が複雑化することを抑制できる。
【００７８】
また、本実施形態によれば、蓋部側係合部５４，５５の係合状態が解除される左右方向（第１方向）と枠部側係合部４３の係合状態が解除される前後方向（第２方向）とは、互いに直交している。そのため、蓋部側係合部５４，５５を押した状態のままで、枠部側係合部４３を押すことがより難しい。これにより、よりチャイルドプルーフに対応した容易に開封できない構造を有する容器１０が得られる。
【００７９】
また、本実施形態によれば、蓋部側係合部５４，５５と枠部側係合部４３とは、ヒンジ部６０を支点とする回動先端側、すなわちヒンジ部６０と逆側の位置に設けられている。そのため、容器１０の密閉性を向上させることができる。また、例えば、各係合部が係合状態のままで、使用者Ｕが蓋部５０の回動先端側の部分（例えば、摘み部５３）を把持して蓋部５０に開ける向きの力を加えた場合、使用者Ｕが加える力の力点から作用点（各係合部）までの距離を小さくできる。これにより、各係合部が係合状態のまま蓋部５０に開く向きの力が加えられても、各係合部に過大な力が加えられることを抑制できる。したがって、各係合部の係合状態が無理やり解除されることを抑制でき、よりチャイルドプルーフに優れた容器１０が得られる。
【００８０】
また、本実施形態によれば、蓋部５０が閉じられた状態において、枠部側係合部４３は、平面視において視認可能である。そのため、使用者Ｕは、枠部側係合部４３の位置を把握しやすく、枠部側係合部４３の係合状態を解除しやすい。
【００８１】
また、本実施形態によれば、ガイド部４６が設けられているため、蓋部５０が閉じられた際に、摘み部５３の位置が左右方向にずれることを抑制できる。これにより、枠部４０に対して蓋部５０を位置精度よく閉じることができる。また、容器１０の開封時に、摘み部５３が摘まれた際に、摘み部５３の左壁部５３ｂおよび右壁部５３ｃが摘み部５３の内側からガイド部４６に支持されるため、左壁部５３ｂおよび右壁部５３ｃが変形して破損することを抑制できる。また、各蓋部側係合部５４，５５の変形量が過大になることを抑制できる。
【００８２】
なお、本発明は上述の実施形態に限られず、他の構成を採用することもできる。以下の説明において上記説明と同様の構成については、適宜同一の符号を付す等により説明を省略する場合がある。
【００８３】
本実施形態においては、枠部４０と蓋部５０とのうちの少なくとも一方が、蓋部５０が閉じられた状態において、枠部４０と蓋部５０とのうちの他方と係合する係合部を有する構成を採用できる。すなわち、例えば、互いに交差する方向に押されることで解除される２つ以上の係合部が、枠部４０のみに設けられていてもよいし、蓋部５０のみに設けられていてもよい。
【００８４】
また、係合部は、互いに交差する方向に押されることで解除される係合部を少なくとも２つ含んでいればよい。例えば、蓋部側係合部５４，５５のうちの一方が設けられていなくてもよい。また、係合部の数は、４つ以上であってもよい。また、上述した各係合部に加えて、蓋部側係合部５４，５５が押される方向および枠部側係合部４３が押される方向の両方と交差する方向に押されることで解除される他の係合部が、蓋部５０と枠部４０とのうちの少なくとも一方に設けられていてもよい。
【００８５】
また、解除される際に蓋部側係合部５４，５５が押される方向と枠部側係合部４３が押される方向とは、互いに交差するならば、特に限定されない。すなわち、解除される際に蓋部側係合部５４，５５が押される方向と枠部側係合部４３が押される方向とは、直交しなくてもよい。また、例えば、解除される際に枠部側係合部４３が押される方向は、上下方向であってもよい。
【００８６】
また、本実施形態においては、第１係合部が、枠部４０と蓋部５０とのうちの一方に設けられ、第２係合部が、枠部４０と蓋部５０とのうちの他方に設けられる構成を採用できる。すなわち、例えば、左右方向に押されることで解除される一対の第１係合部が枠部４０に設けられ、前後方向に押されることで解除される第２係合部が蓋部５０に設けられていてもよい。
【００８７】
また、各係合部が設けられる位置は、特に限定されず、蓋部５０あるいは枠部４０のいずれの箇所に設けられていてもよい。例えば、蓋部側係合孔部５３ｆが摘み部５３の前壁部５３ｅに形成され、蓋部側係合孔部５３ｆに挿入される枠部側係合部４３が摘み部５３の前側に位置する構成でもよい。この場合、枠部側係合部４３は、前側から後側に押されることで係合状態が解除される。また、各係合部は、それぞれ蓋部５０の他の部分および枠部４０の他の部分とは、別体として設けられていてもよい。
【００８８】
また、各係合部の係合方法は、蓋部５０と枠部４０とを係合して、蓋部５０の回動を規制できるならば、特に限定されない。
【００８９】
また、蓋部５０における縁部５２の内側面には、リブが設けられていてもよい。この構成によれば、蓋部５０の剛性を向上させることができ、蓋部５０の変形を抑制できる。これにより、枠部４０に対して蓋部５０を精度よく閉じることが可能となり、蓋部５０を閉じた際の容器１０の密閉性を向上できる。
【００９０】
また、容器１０は、図９に示す容器１１０のような構成であってもよい。図９は、本実施形態の他の一例である容器１１０の部分を示す断面図である。図９に示すように、容器１１０において、摘み部１５３の上壁部１５３ａは、図４等に示す上壁部５３ａに対して、後側（−Ｘ側）の端部に段差部が設けられていない。上壁部１５３ａは、枠部側係合部４３の少なくとも一部の上側を覆っている。図９の例では、上壁部１５３ａは、枠部側係合部４３における本体部４３ａ全体の上側を覆っている。
【００９１】
この構成によれば、上壁部１５３ａが枠部側係合部４３の少なくとも一部の上側を覆っているため、平面視において、枠部側係合部４３は使用者Ｕから視認されにくい。これにより、例えば、子供が枠部側係合部４３を認識しにくく、枠部側係合部４３が押されて枠部側係合部４３の係合状態が解除されることをより抑制できる。したがって、この構成によれば、よりチャイルドプルーフに優れた容器１１０が得られる。
【００９２】
なお、この構成においては、蓋部側係合部５４，５５と枠部側係合部４３とのうちの少なくとも一部の上側を覆う上壁部を備える構成を採用できる。すなわち、上壁部１５３ａに加えて、あるいは上壁部１５３ａの代わりに、蓋部側係合部５４，５５の少なくとも一部の上側を覆う上壁部が設けられていてもよい。
【００９３】
＜第２実施形態＞
第２実施形態は、第１実施形態に対して、枠部側係合部４３の代わりに、第２蓋部側係合部２５６が設けられ、３つの係合部が蓋部に設けられている点において異なる。図１０および図１１は、本実施形態の容器２１０の部分を示す断面図である。
【００９４】
容器２１０において蓋部２５０は、図１０に示すように、第２蓋部側係合部（第２係合部）２５６を有している。第２蓋部側係合部２５６は、摘み部２５３における上壁部１５３ａの後側（−Ｘ側）の端部から下側に延びている。第２蓋部側係合部２５６は、本体部２５６ａと、係合突起２５６ｂと、を有している。
【００９５】
本体部２５６ａは、上壁部１５３ａの後側（−Ｘ側）の端部から下側に延びる板状であり、摘み部２５３の後壁部２５３ｄに形成された孔部２５３ｆを介して、摘み部２５３の内部に挿入されている。孔部２５３ｆは、後壁部２５３ｄを前後方向（Ｘ軸方向）に貫通している。本体部２５６ａの下端は、枠部本体２４１の長辺部２４１ａに形成された第２枠部側係合孔部２４１ｅを通って、長辺部２４１ａよりも下側に位置している。第２枠部側係合孔部２４１ｅは、長辺部２４１ａを上下方向に貫通している。
【００９６】
係合突起２５６ｂは、本体部２５６ａの後側（−Ｘ側）の面から後側に突出している。係合突起２５６ｂは、長辺部２４１ａよりも下側に位置している。係合突起２５６ｂは、本体部２５６ａの後側の面の下端に位置している。係合突起２５６ｂは、蓋部２５０が閉じられた状態において、長辺部２４１ａの下面の下側に位置している。これにより、第２蓋部側係合部２５６は、枠部２４０と係合している。係合突起２５６ｂは、蓋部２５０が閉じられた状態において、長辺部２４１ａの下面に下側から接触する、または長辺部２４１ａの下面と上下方向に隙間を介して対向する。係合突起２５６ｂが接触あるいは隙間を介して対向する部分は、長辺部２４１ａの下面のうち、第２枠部側係合孔部２４１ｅの後側の周縁部である。
【００９７】
第２蓋部側係合部２５６は、図１１に示すように、前後方向の前側（＋Ｘ側）に押されることで、上端を中心に、左右方向（Ｙ軸方向）と平行な軸周りにおける側面視で反時計回りの向きに弾性変形する。これにより、係合突起２５６ｂが前側（＋Ｘ側）に移動し、長辺部２４１ａとの係合状態が解除される。
【００９８】
図示は省略するが、容器２１０においても、蓋部２５０には、蓋部側係合部５４，５５が設けられている。本実施形態においては、３つの係合部、すなわち蓋部側係合部５４，５５および第２蓋部側係合部２５６の全てが、蓋部２５０に設けられている。
【００９９】
本実施形態によれば、左右方向に押されることで係合状態が解除される蓋部側係合部５４，５５と、前後方向に押されることで係合状態が解除される第２蓋部側係合部２５６とが、共に蓋部２５０に設けられている。そのため、蓋部２５０のみに力を加えて、各係合部の係合状態を解除できる。これにより、使用者Ｕ（大人等）は、蓋部２５０のみを操作して容器２１０を開封することができ、簡便である。したがって、本実施形態によれば、互いに交差する方向に押されることで解除される係合部が設けられることでチャイルドプルーフに対応しつつ、使用者Ｕの利便性に優れた容器２１０が得られる。
【０１００】
また、本実施形態によれば、第２蓋部側係合部２５６の係合状態を解除する際には、使用者Ｕは、本体部２５６ａの上側の部分を押す。第２蓋部側係合部２５６は、使用者Ｕによって前後方向に押されると、上端を支点として弾性変形する。すなわち、第２蓋部側係合部２５６における使用者Ｕに押される部分は、第２蓋部側係合部２５６が弾性変形する際の支点に近い部分である。そのため、第２蓋部側係合部２５６においては、使用者Ｕによって力が加えられる力点と支点との距離が比較的小さく、第２蓋部側係合部２５６を弾性変形させるために比較的大きな力が必要となる。これにより、例えば、力が弱い子供では、第２蓋部側係合部２５６を弾性変形させにくく、第２蓋部側係合部２５６の係合状態を解除しにくい。したがって、よりチャイルドプルーフに優れた容器２１０が得られる。
【０１０１】
なお、上述した第１実施形態および第２実施形態では、蓋部、枠部、およびヒンジ部を一体的に成形する構成を例示したが、この構成の他に蓋部と枠部とを個別に成形したヒンジ構造としてもよい。また、例えば、枠部を容器本体と一体的に成形してもよい。
【０１０２】
また、上記の各実施形態で示した容器の用途は、特に限定されない。上記の各実施形態で示した容器は、収容空間２３に小分けした洗浄剤を収容する容器の他に、食品用の容器として用いられてもよい。
【０１０３】
また、第１実施形態および第２実施形態において上述した各構成は、矛盾しない範囲内において、相互に組み合わせることができる。
【符号の説明】
【０１０４】
１０，１１０，２１０…容器、２０…容器本体、２０ａ…開口部、２１…底壁部、２２…側壁部、４０，２４０…枠部、４３…枠部側係合部（第２係合部）、５０，２５０…蓋部、５３，１５３，２５３…摘み部、１５３ａ…上壁部、５４…蓋部側係合部（第１係合部）、６０…ヒンジ部、２５６…第２蓋部側係合部（第２係合部）
【図１】
2017190179.tif 000003
【図２】
2017190179.tif 000004
【図３】
2017190179.tif 000005
【図４】
2017190179.tif 000006
【図５】
2017190179.tif 000007
【図６】
2017190179.tif 000008
【図７】
2017190179.tif 000009
【図８】
2017190179.tif 000010
【図９】
2017190179.tif 000011
【図１０】
2017190179.tif 000012
【図１１】
2017190179.tif 000013